(57)【要約】【課題】  コードブッシング付きキャブタイヤコードのコードブッシングの近傍における導体の損傷や変形を防止しながら、コードと電気用品側端子との接続部に力が作用するのを十分に防止でき、しかも、合成樹脂製バンド止めや金属製リング止め等のように周囲にスペースを必要としないコードブッシング付きキャブタイヤコードを提供する。【解決手段】  導体１１を絶縁体１２で被った複数の線心１０をシース２１で覆うと共に、該シース２１とコードブッシング３０を一体成形したキャブタイヤコード１Ａ，１Ｂにおいて、前記コードブッシング３０の近傍において、前記絶縁体１２と前記シース２１を高周波溶着する。【選択図】  図１
0003104118.tif 000002
【実用新案登録請求の範囲】
【請求項１】
導体を絶縁体で被った複数の線心をシースで覆うと共に、該シースとコードブッシング
を一体成形したキャブタイヤコードにおいて、前記コードブッシングの近傍において、前
記絶縁体と前記シースを高周波溶着したことを特徴とするコードブッシング付きキャブタ
イヤコード。
【請求項２】
前記高周波溶着する部分を前記コードブッシングより電気器具との接続部側とすること
を特徴とするコードブッシング付きキャブタイヤコード。
【考案の詳細な説明】
【技術分野】
【０００１】
本発明は電気器具等に使用されるコードブッシング付きキャブタイヤコードに関するも
ので、より詳細には、電気器具等のキャビネットからコードを外部へ導き出す部分におけ
るコード引き止め構造に関する。
【背景技術】
【０００２】
電気器具等に使用される電気用のコードには、図４及び図５に示すように、銅線等の導
体１１をビニル等の絶縁体１２で覆って線心１０を形成し、色違いの線心１０を複数本よ
り合わせて、その上を塩化ビニル等を材料とするシース２１で覆ったビニルキャブタイヤ
コード２０等が使用されている。
【０００３】
このキャブタイヤコードを電気器具等に使用し、電気器具等のキャビネットからコード
を導き出す場合には、電気器具等を使用する際の曲げや捩じりによるコードの断線を防止
するために、図６に示すように、コードブッシング３０を用いているが、このコード取出
し構造においては、キャビネット２の外側に伸びているコード２０を９８Ｎの力Ｆで引張
っても、コード２０と電気器具側の端子との接続部に力が作用しないことが、「電気用品
の技術上の基準を定める省令」の別表第８の１共通の事項の（２）構造のヲで要求されて
いる。
【０００４】
通常は、このコード２０のキャビネット２からの引き出しに際しては、キャビネット２
のコード取り出し口２ａにコードブッシング３０の引抜き止め部３１を嵌め込んで、この
コードブッシング３０にコード２０を挿入して通して、コードブッシング３０の外側をキ
ャビネット２等で押圧することにより、コード２０をコードブッシング３０を介して押圧
しコード取り出し口２ａに固定している。
【０００５】
しかしながら、単に、コードブッシング３０にコード２０を挿通して、コードブッシン
グ３０に外部から圧力を加えてコード２０を止めているだけでは、コード２０が引張られ
た時に、コード２０と電気器具側との接続部に力が加わるのを十分に防止できないという
問題がある。
【０００６】
これに対応するため、キャブタイヤコードでは無いが、複数の導体を一体に被覆した絶
縁体で形成したコード、つまり、シースが無い平形コードに関するものであるが、軟質の
合成樹脂被膜を有するコードの一端部を、軟質の合成樹脂からなる筒状のコードブッシン
グを介して電気器具のハウジング（キャビネット）に固定し、他端部をハウジング外部に
導出すると共に、コードブッシングとコードを嵌着部において高周波溶着する電気器具の
コード取出し構造が提案されている（例えば、実用新案文献１参照。）。
【０００７】
また、他の方法として、同様の平形コードにコードブッシングをモールド成形により一
体成形することにより、コードブッシングをコードと固定し一体化しているものがあり、
これによって、コードブッシングとコードのずれを防止している。
【０００８】
しかしながら、図４に示すように、線心１０をシース２１で覆ったキャブタイヤコード
２０の場合には、コードブッシング３０とシース２１とをモールド成形によって一体成形
してずれ防止をしているが、コードブッシング３０を、電気器具側の引抜き止め溝２ａに
固定しても、外部Ｐｆにおいてコード２０を引張った場合に、コードブッシング３０と一
体化されたシース２１は、弾性変形しないが、コードブッシング３０とＰｆとの間のシー
ス２１が弾性変形して延びてしまうために、引張り力Ｆの作用点Ｐｆで線心１０に引張力
が作用し、線心１０とシース２１との間が滑って、シース２１内部の線心１０において作
用点側への移動Ｍが生じて矢印方向に引き込まれ、コード２０と電気用品側端子との接続
部に力が加わってしまうという新たな問題が生じた。
【０００９】
この新たな問題に対処するために、コードブッシング３０に対して接続部側の、線心１
０をシース２１から露出させた部分において、線心１０を、図７〜図９に示すようにイン
シュロックタイと呼ばれる合成樹脂製のバンド３で締め付けたり、あるいは、金属製のリ
ングを潰して押さえたり、金属製の細い棒状のものを巻き付けたりして、線心１０の回り
に凸部３を設けて、この凸部３をシース２１の端面に当接させることにより、シース２１
内部の線心１０が引張力Ｆの作用点Ｐｆ側に引き込まるのを防止して、接続部に力が加わ
るの防止している。
【００１０】
しかしながら、樹脂バンド３で線心１０を締付ける場合には、この締め付けの程度が難
しく、締め付けが弱いと引き込まれ、締め付けが強過ぎると導体１１を傷付けてしまうと
いう問題がある。また、金属製リング等においても、線心１０に押圧して固定すると、導
体１１の損傷や変形が生じるという問題がある。更に、合成樹脂製のバンド３や金属製リ
ング等の取付けに手間が掛かるという問題や、これらを配置するスペースの問題等もある
。
【特許文献１】実開昭６１−５３９７６号公報
【考案の開示】
【考案が解決しようとする課題】
【００１１】
本発明の目的は、上記の問題を解決するためになされたものであり、コードブッシング
付きキャブタイヤコードのコードブッシングの近傍における導体の損傷や変形を防止しな
がら、コードと電気用品側端子との接続部に力が作用するのを十分に防止でき、しかも、
合成樹脂製バンド止めや金属製リング止め等のように周囲にスペースを必要としないコー
ドブッシング付きキャブタイヤコードを提供することにある。
【課題を解決するための手段】
【００１２】
上記の目的を達成するための本発明のコードブッシング付きキャブタイヤコードは、導
体を絶縁体で被った線心をシースで覆うと共に、該シースとコードブッシングを一体成形
したキャブタイヤコードにおいて、前記コードブッシングの近傍において、前記絶縁体と
前記シースを高周波溶着して構成する。
【００１３】
この構成により、引張力がコードに作用しても、コードブッシングとシースが一体化し
、更に、シースと線心が高周波溶着により接合されているので、この高周波溶着の部位よ
りも接続部側に引張力が作用しなくなる。従って、コードと電気器具との接続部に引張力
加が作用するのを防止できる。また、コードブッシング部位を避けて高周波溶着するため
、平坦部分で確実に溶着でき、容易に加工管理できる。
【００１４】
そして、更に、前記高周波溶着する部分を前記コードブッシングより電気器具との接続
部側とすると、より接続部に近い部分でシースと線心とが固定されるので、より接続部に
引張力が作用しなくなる。また、高周波溶着部が電気器具のキャビネット内に入るので、
高周波溶着部が外から見えなくなり、外観上の見栄えも良くなる。
【考案の効果】
【００１５】
本発明のコードブッシング付きキャブタイヤコードによれば、コードブッシングの近傍
部位において、高周波溶着によりシースと線心の絶縁体とを接合するので、金属製リング
や合成樹脂製バンドのように線心の導体に強い押圧力を加える必要が無くなり、押圧力に
起因する導体の変形や損傷を回避できる。
【００１６】
そして、導体への締め付けが無いためコードの折り曲げに対し有利となる。また、合成
樹脂製バンドや金属製リング等を使用しないのでこれらを収容するためのスペースを必要
としない。
【００１７】
その上、高周波溶着を用いているので、シースと絶縁体とが少しでも溶着していれば、
線心固定の効果が得られる。また、コードブッシング部位を避けてシースと線心を高周波
溶着するため平坦部分で確実に溶着できる。そのため、加工管理が著しく容易となる。
【考案を実施するための最良の形態】
【００１８】
以下、本発明に係る実施の形態のコードブッシング付きキャブタイヤコードについて、
図面を参照しながら説明する。
【００１９】
図１及び図２に、第１の実施の形態のコードブッシング付きキャブタイヤコード１Ａの
構成を示す。このコードブッシング付きキャブタイヤコード１Ａは、電気を通すための線
状の導体１１をビニル等の絶縁体１２で囲み周囲との間を電気的に絶縁して線心１０を形
成すると共に、更に、線心１０を複数本（図では２本）を塩化ビニル等の外被となるシー
ス２１で囲んでコード２０を形成し、このコード２０にコードブッシング３０をモールド
成形により一体成形して形成される。
【００２０】
本考案においては、このコードブッシング付きキャブタイヤコード１Ａにおいて、コー
ドブッシング３０の近傍において、線心１０の絶縁体１２とシース２１を点、線、又は、
面で高周波溶着する。この高周波溶着する部分Ａは、コード３０を引張られる部分Ｐｆよ
りも、接続部側の部位とすることが必要であり、コードブッシング３０の両側、即ち、電
気器具のキャビネット２内の部位Ａ（図１）と外の部位Ｂ（図２）を選ぶことができるが
、第１の実施の形態では、電気器具のキャビネット２内の部位Ａとする。この高周波溶着
は、コード２０の溶着部位Ａを高周波電場に置いて誘電加熱を利用して溶着部位Ａで内部
発熱させて絶縁体１２とシース２１を溶着するものであり、図３に示すように、絶縁体１
２とシース２１の間の部位Ｗが溶けて接合する。
【００２１】
なお、このコードブッシング３０の部分を避けて高周波溶着することにより、シース２
１の平坦部で加工でき、深さも浅いので、厳密な加工管理を必要とせずに、絶縁体１２と
シース２１をより確実に溶着することができるようになる。
【００２２】
そして、高周波溶着する部分を、コードブッシング３０の電気器具のキャビネット２内
に配置される部位Ａとすると、高周波溶着部Ａが外から見えなくなり、外観上の見栄えも
良くなる。また、接続部により近い部分Ａでシース３１と線心１０とが固定されるので、
より接続部に力が作用しなくなる。また、この高周波溶着部分で線心１０が結線作業に伴
って露出されないように、高周波溶着する部分はコードブッシング３０の近傍とし、好ま
しくは、コードブッシング３０の直近部位Ａとする。
【００２３】
次に、第２の実施の形態のコードブッシング付きキャブタイヤコードについて説明する
。この図２に示す、第２実施の形態のコードブッシング付きキャブタイヤコード１Ｂでは
、高周波溶着する部分を、コードブッシング３０の電気器具のキャビネット２外に配置さ
れる部位Ｂとする。それ以外は、第１の実施の形態のコードブッシング付きキャブタイヤ
コード１Ａの構成と同じである。
【００２４】
この高周波溶着する部分を部位Ｂとすると、高周波溶着部Ｂが外から見え、外観上は多
少の問題を生じるが、高周波溶着する部分における、結線作業に伴なう線心１０の露出を
確実に回避できる。なお、この場合においても、高周波溶着する部分がコード３０に引張
力Ｆが作用する部位Ｐｆよりもコードブッシング３０側となるように、高周波溶着する部
分をコードブッシング３０の近傍とし、好ましくはコードブッシング３０の直近部位Ｂと
する。
【００２５】
上記の構成のコードブッシング付きキャブタイヤコード１Ａ，１Ｂによれば、コードブ
ッシング３０の近傍部位Ａ又はＢにおいて、高周波溶着によりシース２１と絶縁体１２と
を接合するので、金属製リングや合成樹脂製バンドのように導体１１に強い押圧力を加え
る必要が無く、押圧力に起因する導体１１の変形や損傷を回避できる。
【００２６】
また、導体１１への締め付けが無いため、コード２０の折り曲げに対し有利となる。ま
た、合成樹脂製バンドや金属製リング等を使用しないため、これらを収めるためのスペー
スを必要としなくなる。
【００２７】
その上、高周波溶着を用いているので、シース２１と絶縁体１２とが少しでも溶着して
いれば、線心固定の効果が得られる。そのため、加工管理が容易となる。
【図面の簡単な説明】
【００２８】
【図１】本発明に係る第１実施の形態のコードブッシング付きキャブタイヤコードを示す図である。
【図２】本発明に係る第２実施の形態のコードブッシング付きキャブタイヤコードを示す図である。
【図３】図１及び図２のコードの高周波溶着部分を示す断面図である。
【図４】従来技術のコードブッシング付きキャブタイヤコードを示す図である。
【図５】図４のコードの断面図である。
【図６】従来技術のコードブッシング付きキャブタイヤコードを電気用品のキャビネットに取り付けた状態を示す図である。
【図７】合成樹脂製のバンドを取り付けたコードブッシング付きキャブタイヤコードを示す図である。
【図８】合成樹脂製のバンドを取り付けた状態を示す図である。
【図９】合成樹脂製のバンドを取り付けたコードブッシング付きキャブタイヤコードを電気用品のキャビネットに取り付けた状態を示す図である。
【符号の説明】
【００２９】
１Ａ，１Ｂ  コードブッシング付きキャブタイヤコード
２  キャビネット
１０  線心
１１  導体
１２  絶縁体
２０  コード
２１  シース
３０  コードブッシング
Ａ，Ｂ，Ｗ  高周波溶着部位
【図１】
0003104118.tif 000003
【図２】
0003104118.tif 000004
【図３】
0003104118.tif 000005
【図４】
0003104118.tif 000006
【図５】
0003104118.tif 000007
【図６】
0003104118.tif 000008
【図７】
0003104118.tif 000009
【図８】
0003104118.tif 000010
【図９】
0003104118.tif 000011